(57)【要約】【課題】単純形状のボスを備えるスライダであっても、ボスの乗り上げを防止できるコネクタを提供する。【解決手段】相手コネクタ９０のボス９３が移動するカム溝５２が設けられるスライダ５０と、スライダ５０に弾性力を付与するトーションバネ６０とを備える。カム溝５２は、相手コネクタ９０との嵌合方向に対して傾斜し、嵌合時にボス９３が摺動する第１の傾斜面５４を有する第１の経路５３と、第１の経路５３を通過したボス９３が移行される第２の経路５６とからなる。トーションバネ６０は、嵌合時にボス９３が第１の傾斜面５４を摺動することでスライダ５０が移動される第１の向き（矢印Ｃ）と対向する第２の向きに、スライダ５０に弾性力を付与する。スライダ５０は、ボス９３が第１の傾斜面５４を通過して第２の経路５６に移行する際に、弾性力により、第２の向きに凹部５９までの所定量だけ移動する。【選択図】図４
2011090904.tif 000002
【特許請求の範囲】
【請求項１】
端子金具を保持するハウジングと、
前記ハウジングに対して直線往復移動が可能に設けられ、相手コネクタのボスが移動するカム溝が設けられるスライダと、
前記スライダに弾性力を付与する弾性体と、
を備え、
前記カム溝は、
前記相手コネクタとの嵌合方向に対して傾斜し、前記相手コネクタとの嵌合時に前記ボスが摺動する摺動面を有する第１の経路と、前記第１の経路を通過した前記ボスが移行される第２の経路と、からなり、
前記弾性体は、
前記嵌合時に前記ボスが前記摺動面を摺動することで前記スライダが移動する第１の向きと対向する第２の向きに、前記スライダに弾性力を付与し、
前記スライダは、
前記ボスが前記摺動面を通過して前記第２の経路に移行する際に、前記弾性力により、前記第１の向きに所定量だけ移動する、
ことを特徴とする電気コネクタ。
【請求項２】
前記ハウジングは、回転されることにより前記スライダを移動させるレバーを備え、
前記レバーは、
前記相手コネクタとの完全嵌合がなされる嵌合位置と、前記相手コネクタとの嵌合が解除される解除位置との間で回転され、
前記レバーが前記解除位置まで回転されると、
前記相手コネクタの前記ボスが前記第１の経路に移動され、相手コネクタが離脱可能となる、
請求項１に記載の電気コネクタ。
【請求項３】
前記ハウジングは、
前記嵌合位置から前記解除位置まで前記レバーが回転する過程で、その回転を止める係止体を有し、
前記レバーは、前記係止体による係止を解除して前記解除位置まで回転される、
請求項２に記載の電気コネクタ。
【請求項４】
前記スライダが、前記ボスが前記摺動面を通過しても、前記第２の向きに所定量だけ移動する途中に留まると、
前記嵌合位置への前記レバーの回転を規制する規制体が前記ハウジングに設けられる請求項２又は３に記載の電気コネクタ。
【発明の詳細な説明】
【技術分野】
【０００１】
本発明は、スライダを操作することにより相手コネクタとの嵌合、嵌合解除を行う電気コネクタ（以下、単にコネクタ）に関する。
【背景技術】
【０００２】
相手コネクタのボスが挿入されるカム溝が形成されるスライダを、ハウジングに直線的に往復移動可能に備えるスライダ式のコネクタが知られている。このコネクタとしては、手で直接スライダを操作するタイプ（たとえば特許文献１、２）と、ハウジングに正逆回転（あるいは揺動）可能に取付けられるレバーによってスライダを操作するタイプ（例えば、特許文献３）がある。
【０００３】
レバーによってスライダを操作するタイプのコネクタ１００を例にして、スライダ式のコネクタの概略構成を説明する。
図１１において、コネクタ１００は、相手コネクタ１４０を受容するキャビティ１１１を有する略矩形形状の絶縁性のハウジング１１０と、ハウジング１１０に設けられる複数の端子金具（図示せず）と、ハウジング１１０に取り付けられるレバー１２０と、ハウジング１１０に取り付けられる一対のスライダ１３０とを備えている。
【０００４】
レバー１２０は、断面略コ字形の絶縁性部材であり、回転軸１２１を中心にハウジング１１０に回転可能に取付けられている。レバー１２０はまた、スライダ１３０のラック１３１と噛み合うギア１２２を備えている。
各スライダ１３０は、ハウジング１１０の案内溝１１２に受容可能な略矩形形状の平板で構成され、内面に複数のカム溝１３２を形成するとともに、上縁面にラック１３１を形成している。各スライダ１３０は、ハウジング１１０の各案内溝１１２内に摺動可能に受容され、各スライダ１３０のラック１３１にレバー１２０のギア１２２が噛み合うようになっている。
相手コネクタ１４０には、スライダ１３０のカム溝１３２に挿入されるボス１４１が形成されている。ボス１４１はカム溝１３２に対するカムの従動子として機能する。
【０００５】
コネクタ１００と相手コネクタ１４０を嵌合する際の操作は以下の通りである。
レバー１２０がハウジング１１０に対して起立した状態で、相手コネクタ１４０をハウジング１１０のキャビティ１１１内に挿入すると、相手コネクタ１４０に設けられるボス１４１がスライダ１３０のカム溝１３２に挿入される。そして、図１１の矢印Ａの向きにレバー１２０を回転させると、スライダ１３０が矢印Ｂの向きに移動し、カム溝１３２とボス１４１の協働により相手コネクタ１４０は引き込まれてコネクタ１００のハウジング１１０と嵌合する。
【先行技術文献】
【特許文献】
【０００６】
【特許文献１】特開平９−２６６０２９号公報
【特許文献２】特開２００１−５２８１０号公報
【特許文献３】特開２００６−３３１９９１号公報
【発明の概要】
【発明が解決しようとする課題】
【０００７】
ところが、相手コネクタ１４０との嵌合の過程で、「ボスの乗り上げ」と称される現象が生じることがある。つまり、ボス１４１がカム溝１３２の挿入部１３２ａの途中までしか挿入されていないにもかかわらず、誤ってレバー１２０を矢印Ａの向きに操作すると、ボス１４１がカム溝１３２を越えてスライダ１３０と干渉するのが、ボスの乗り上げである。
ボスの乗り上げが生じると、そのまま相手コネクタとの嵌合作業を進めることができず、また、これを解消するのは容易でないため、相手コネクタとの嵌合作業の効率を著しく低減させる。場合によっては、ボスの乗り上げに気づかずに嵌合が完了したと誤認することもあり、導通不良のコネクタを提供する恐れもある。
【０００８】
前述の特許文献３には、先端に鍔部を有するボス（カムのボス）を相手コネクタに設ける一方、スライダのカム溝の外側に鍔部が入り込む段差部を設けることが記載されている。この構成によると、ボスがカム溝から抜け出ることが防止されそうであるが、鍔部を含むボスは樹脂で作成されているために、強い力が加わると、鍔部が破損する恐れがある。また、微小である鍔部を段差部に挿入する作業は容易でない。
【０００９】
本発明は、このような課題に基づいてなされたもので、円筒状の単純形状のボスを備えるスライダであっても、ボスの乗り上げを防止できるコネクタを提供することを課題とする。
【課題を解決するための手段】
【００１０】
本発明のコネクタは、ハウジングと、スライダと、弾性体とを備えることを前提とする。ハウジングは、端子金具を保持する。スライダは、ハウジングに対して直線往復移動が可能に設けられ、また、相手コネクタのボスが移動するカム溝が設けられる。弾性体、スライダに弾性力を付与するものである。
スライダに設けられるカム溝は、第１の経路と第２の経路とからなる。第１の経路は、相手コネクタとの嵌合時にボスが摺動する摺動面を有する。この摺動面は、相手コネクタとの嵌合方向に対して傾斜している。第１の経路を通過したボスは、第２の経路に移行される。
弾性体は、嵌合時にボスが摺動面を摺動することでスライダが移動する第１の向きと対向する第２の向きに、スライダに弾性力を付与するものである。
そして、スライダは、ボスが摺動面を通過して第２の経路に移行する際に、弾性体の弾性力により、第１の向きに所定量だけ移動する。
以上の構成を有する本発明のコネクタは、スライダが第２の経路に移行せずに摺動面の途中で相手コネクタの押込みが止まったとしても、スライダには第２の向きに弾性力が付与されているので、相手コネクタのボスは摺動面を摺動しながら後戻りする。また、ボスが摺動面を通過して第２の経路に移行する際に、弾性体の弾性力によりスライダは強制的に、第１の向きに所定量だけ移動する。したがって、ボスが第１の経路の途中で止まることがないので、第１の経路の途中までしか挿入されていないにもかかわらず、誤ってスライダを操作することがない。よって、本発明のコネクタによればボスが乗り上げるのを阻止できる。
【００１１】
本発明のコネクタにおいて、ハウジングは、回転されることによりスライダを移動させるレバーを備えることができる。このレバーは、相手コネクタとの完全嵌合がなされる嵌合位置と、相手コネクタとの嵌合が解除される解除位置との間で回転される。そして、レバーが解除位置まで回転されると、相手コネクタのボスが第２の経路から第１の経路に移行され、相手コネクタが離脱可能となることが好ましい。直接コネクタを操作するのに比べて、レバーを操作する方が、スライダを弾性体に抗して移動させるのが容易にできるからである。
【００１２】
本発明のコネクタにおいて、ハウジングは、嵌合位置から解除位置までレバーが回転する過程で、その回転を止める係止体を有することができる。この場合、レバーは、係止体による係止を解除して解除位置まで回転される。レバーが不用意に解除位置まで回転されるのを避けるためである。
【００１３】
本発明のコネクタにおいて、ボスが摺動面を通過しても、第２の向きに所定量だけ移動する前にスライダが止まることがある。これは、異物や外力によって生じる異常な状態である。このような場合を想定して、嵌合位置へのレバーの回転を規制する規制体をハウジングに設けることが好ましい。異常検知のためである。
【発明の効果】
【００１４】
本発明のコネクタによれば、スライダが第２の経路に移行せずに摺動面の途中で相手コネクタの押込みが止まったとしても、スライダには第２の向きに弾性力が付与されているので、相手コネクタのボスは摺動面を摺動しながら後戻りする。ボスが第１の経路の途中で止まることがない本発明のコネクタは、ボスの乗り上げのるを阻止できる。
【図面の簡単な説明】
【００１５】
【図１】本実施の形態におけるコネクタの分解斜視図である。
【図２】本実施の形態におけるスライダに関し、（ａ）はトーションバネ近傍の拡大図、（ｂ）は第１の経路と第２の経路の境界部分の拡大図である。
【図３】本実施の形態におけるコネクタの嵌合完了の状態を示し、（ａ）は縦断面図、（ｂ）は横断面図、（ｃ）は側面図である。
【図４】本実施の形態におけるコネクタの嵌合開始の状態を示し、（ａ）は縦断面図、（ｂ）は横断面図である。
【図５】本実施の形態におけるコネクタの嵌合初期の状態を示し、（ａ）は縦断面図、（ｂ）は横断面図である。
【図６】本実施の形態におけるコネクタの嵌合中期の状態を示し、（ａ）は縦断面図、（ｂ）は横断面図である。
【図７】本実施の形態におけるコネクタの離脱時の作用を説明し、（ａ）は縦断面図、（ｂ）はレバーとスライダの噛み合い部分の拡大断面図、（ｃ）はカム溝の部分拡大図である。
【図８】本実施の形態におけるコネクタの第１の異常検知機構を示す図であり、（ａ）は縦断面図、（ｂ）はレバーとスライダの噛み合い部分の拡大断面図である。
【図９】本実施の形態におけるコネクタの第２の異常検知機構を示す図であり、（ａ）は縦断面図、（ｂ）はレバーとスライダの噛み合い部分の拡大断面図である。
【図１０】本実施の形態におけるスライダの他の形態を示す図である。
【図１１】従来のスライダ式のコネクタの一例を示す断面図である。
【発明を実施するための形態】
【００１６】
以下、添付図面に示す実施の形態に基づいてこの発明を詳細に説明する。
本実施の形態は、コネクタ１０と相手コネクタ９０が、コネクタ１０が備えるスライダ５０を介して嵌合されるものである。
以下、主に図１〜図３を参照しながら、コネクタ１０の構成、相手コネクタ９０の構成を順に説明した後、コネクタ１０と相手コネクタ９０の嵌合手順について説明する。
【００１７】
コネクタ１０は、ハウジング本体（ハウジング）２０と、一対のスライダ５０と、カバーハウジング（ハウジング）４０と、レバー７０とを備えている。これらはいずれも樹脂を射出成形することにより作製されている。なお、コネクタ１０において、スライダ５０がハウジング本体２０に挿入される側（図１でスライダ５０が描かれている側）を前とする。
【００１８】
［ハウジング本体２０］
ハウジング本体２０は、図１、図３に示すように、略矩形形状の嵌合部２１を備える。嵌合部２１には、図示しない端子金具を保持する保持孔２２ａ，２２ｂが形成される端子保持部２３が形成される。嵌合部２１には、端子保持部２３よりも下方に相手コネクタ受容キャビティ２４が設けられている。相手コネクタ受容キャビティ２４は、嵌合部２１の下面側に開口している。
嵌合部２１の幅方向の両側には、スライダ５０を受容するための一対のスライダ受容溝２５が前後方向に貫通して形成されている。
また、嵌合部２１の上面には、スライダ受容溝２５に繋がるラック露出切り欠き２６が、各スライダ受容溝２５に対応して設けられている。スライダ５０に形成されるラック５１は、このラック露出切り欠き２６から外部に露出して、レバー７０のギア７４と噛み合う。嵌合部２１の上面には、カバーハウジング４０をハウジング本体２０に固定するための一対の係止孔２９が後側に、係止孔３０が前側に形成されている。
また、嵌合部２１の下面には、スライダ受容溝２５に繋がるボス進入孔２７が設けられている。ボス進入孔２７は、スライダ５０のカム溝５２に対応して、前後方向に所定の間隔を空けて２箇所に形成される。
さらに、各スライダ受容溝２５の内部であって、嵌合部２１の後端には、スライダ５０に設けられるトーションバネ（弾性体）６０が係止されるバネ係止突起２８が設けられている。
【００１９】
［カバーハウジング４０］
ハウジング本体２０の上部には、カバーハウジング４０が取り付けられている。ハウジング２０とカバーハウジング４０との組み合わせで本発明のハウジングを構成する。各端子金具（図示せず）に接続された電線（図示せず）は、カバーハウジング４０を介して外部に導出される。
カバーハウジング４０は、後端に設けられる係止突起４４がハウジング本体２０の係止孔２９に挿入され、前端に設けられる図示しない係止突起がハウジング本体２０の係止孔３０に挿入されることにより、ハウジング本体２０に着脱自在に固定される。
カバーハウジング４０の両側面には、レバー７０を軸支する支持軸４１が設けられている。また、カバーハウジング４０の両側面には、レバー７０を係止する係止突起（係止体）４２が設けられている。
また、カバーハウジング４０の上面には、レバー７０を嵌合位置において固定するための係止アーム４３が設けられている。係止アーム４３は、カバーハウジング４０の上下方向に撓む片持ち梁状の部材である。
【００２０】
［スライダ５０］
一対のスライダ５０は、嵌合部２１の両側面に設けられる一対のスライダ受容溝２５内にハウジング本体２０の前側から挿入され、ハウジング本体２０に対して図４に示す嵌合開始の位置と図３に示す嵌合位置との間を直線的に往復移動可能に設けられている。スライダ５０は、ハウジング本体２０の各スライダ受容溝２５内に受容可能なように略矩形形状を有している。
スライダ５０の上端面には、２つの歯からなるラック５１が形成されている。ラック５１は、各スライダ５０が各スライダ受容溝２５内に受容されてハウジング本体２０に対して嵌合開始の位置と嵌合位置との間を移動するときに、少なくとも一部がハウジング本体２０のラック露出切り欠き２６に臨む位置に形成される。
【００２１】
また、スライダ５０の内側、即ち相手コネクタ受容キャビティ２４に面する側には、相手コネクタ９０に設けられるボスが挿入されて相手コネクタ９０とカム係合する２つのカム溝５２が設けられている。
カム溝５２は、第１の経路５３と第２の経路５６からなる（図２（ｂ），図３）。
第１の経路５３は、前方に向けて上昇する第１の傾斜面（摺動面）５４と、スライダ５０の下面から高さ方向に沿う垂直面５５とにより区画される。第２の経路５６は、後方に向けて上昇する第２の傾斜面５７と、第２の傾斜面に対向する第３の傾斜面５８とにより区画される。第２の傾斜面５７の下端部には、図２（ｂ）に示すように、凹部５９が形成されている。
第１の経路５３は、その下方端が、スライダ５０が嵌合開始の位置にあるときにハウジング本体２０のボス進入孔２７と整列する位置に設けられる。
【００２２】
スライダ５０は、その外側に、トーションバネ６０を備える。トーションバネ６０は、以下説明するように、ハウジング本体２０とスライダ５０の間に掛け渡されており、スライダ５０の位置に応じて、スライダ５０を前方（第２の向き）に向けて弾性力を付与する。
【００２３】
トーションバネ６０は、図２（ａ）に示すように、巻回部６０ａと、巻回部６０ａから引出される第１の脚部６０ｂと、第１の脚部６０ｂとは逆向きに引出される第２の脚部６０ｃとを備える。トーションバネ６０が無負荷の状態では、第１の脚部６０ｂと第２の脚部６０ｃは例えば直線をなしている。
【００２４】
トーションバネ６０は、スライダ５０の外側であって、カム溝５２よりも後方に形成されるバネ保持溝６１に保持される。バネ保持溝６１には、トーションバネ６０の巻回部６０ａを貫通して保持する保持軸６２を備えている。
バネ保持溝６１は、第２ハウジング本体２０から負荷を受けていないトーションバネ６０を保持しているときに、第１の脚部６０ｂが押付けられる第１の保持壁６３と、第２の脚部６０ｃが押付けられる第２の保持壁６４を備えている。
バネ保持溝６１は、第２の保持壁６４と対称の位置に設けられる第３の保持壁６５を備えている。トーションバネ６０の第２の脚部６０ｃは、スライダ５０が移動する過程で第２ハウジング本体２０（バネ係止突起２８）から押されて、第２の保持壁６４と第３の保持壁６５の間を弾性変位する。
【００２５】
スライダ５０は、その外側に、後端から前方に向けて延びる案内溝６６が設けられている。案内溝６６は、バネ保持溝６１と繋がっており、バネ保持溝６１に保持されるトーションバネ６０の第２の脚部６０ｃの先端部が案内溝６６に露出する。案内溝６６は、嵌合部２１のバネ係止突起２８に対応する位置に設けられている。
【００２６】
［レバー７０］
レバー７０は、一対のアーム７１と、アーム７１の後端を連結する連結部７２とを備えた断面略コ字形に形成されている。
そして、レバー７０の各アーム７１には、カバーハウジング４０の支持軸４１が挿入される支持孔７３が設けられる。支持軸４１に支持孔７３を嵌入することによりレバー７０はカバーハウジング４０に支持され、レバー７０がカバーハウジング４０に対して支持軸４１を中心として揺動可能とされる。
また、レバー７０の各アーム７１の下端には、嵌合部２１に受容されたスライダ５０のラック５１にラック露出切り欠き２６を介して噛み合うギア７４が設けられている。レバー７０を嵌合開始の位置から嵌合位置まで回転させると、ギア７４とラック５１の協働によりスライダ５０が嵌合開始の位置から嵌合完了の位置（嵌合位置）まで移動するようになっている。
さらに、各アーム７１の内側には、カバーハウジング４０の係止突起４２と係合される係止突起７５が形成されている。係止突起７５と係止突起４２が係合されることにより、レバー７０が相手コネクタ９０との嵌合解除位置まで不用意に回転するのを避ける。
【００２７】
［相手コネクタ９０］
相手コネクタ９０は、上部に嵌合部９２を有するハウジング９１を備えている。嵌合部９２は、略矩形形状に形成され、その両側面にはカム従動子として機能する円筒状のボス９３が設けられている。この例では、スライダ５０のカム溝５２に対応して、１つの側面に２つずつボス９３が設けられている。嵌合部９２のキャビティ９４内には、複数の相手端子金具９５が収容、保持される。相手端子金具は、コネクタ１０と相手コネクタ９０が嵌合されると、コネクタ１０に保持される端子金具と接続される。
【００２８】
［コネクタ１０の組立方法］
コネクタ１０は、以下のように組み立てられる。
ハウジング本体２０の嵌合部２１に複数の端子金具を取り付けた状態で、一対のスライダ５０を、それらの後端を先頭にして嵌合部２１の両側面に設けられた一対のスライダ受容溝２５内にハウジング本体２０の前方から挿入する。スライダ５０を押し込んでいくと、嵌合部２１のバネ係止突起２８が案内溝６６に挿入される。スライダ５０の後端が嵌合部２１の後端を通過し、案内溝６６に露出しているトーションバネ６０の第２の脚部６０ｃがバネ係止突起２８に接触するまで、スライダ５０を押し込む（図４参照）。なお、スライダ５０（レバー７０）のこの位置を嵌合開始の位置という。
【００２９】
嵌合開始の位置にスライダ５０が挿入されたハウジング本体２０に、係止突起４４をハウジング本体２０の係止孔２９に挿入し、また、図示しない係止突起を係止孔３０に挿入することで、カバーハウジング４０を取り付ける。
カバーハウジング４０には、支持軸４１と支持孔７３が嵌合されることによりレバー７０が取り付けられている。レバー７０の内側に形成される係止突起７５が、カバーハウジング４０の側面に設けられている係止突起４２に係合されることで、レバー７０を時計回りに回転させようとしても、レバー７０がそれ以上回転するのが規制される。係止突起７５が係止突起４２を乗り越えて規制が解除され、強く回転させればレバー７０を時計回りに回転させることができる。前端側へのそれ以上の傾転が規制されている（図４）。
【００３０】
カバーハウジング４０をハウジング本体２０に取り付けると、レバー７０のギア７４が、ハウジング本体２０のラック露出切り欠き２６を介してスライダ５０のラック５１に噛み合う。
【００３１】
［嵌合手順］
次に、以上のようにして組み立てられたコネクタ１０と相手コネクタ９０の嵌合手順について説明する。
組立てが完了し、図４に示すように、スライダ５０が嵌合開始の位置にある状態で、コネクタ１０の相手コネクタ受容キャビティ２４に相手コネクタ９０の嵌合部９２を受容する。この嵌合開始状態では、嵌合部９２のボス９３は、第１の経路５３下端において第１の傾斜面５４に接触する。
【００３２】
相手コネクタ９０を相手コネクタ受容キャビティ２４の奥の方（上方）に押し込むと、ボス９３は第１の傾斜面５４を摺動しながら、第１の経路５３と第２の経路５６との境界部に至る。スライダ５０は、この間に、トーションバネ６０の弾性力に対向しながら、矢印Ｃの向き（第１の向き）、つまり後方に移動する（図４，図５）。したがって、スライダ５０は、トーションバネ６０により、矢印Ｄの向き（第２の向き）に弾性力が付与されている。なお、ボス９３は前後方向への動きが規制されている。
【００３３】
さらに相手コネクタ９０を相手コネクタ受容キャビティ２４の奥の方に押し込むと、ボス９３は前記境界部を通過して第２の経路５６の凹部５９に至る。第２の経路５６のこの部分はボス９３が前後方向に移動可能な領域があるため、トーションバネ６０から付与されている弾性力により、スライダ５０は図５の状態から凹部５９までの所定量だけ後方（第１の向き）に移動し、嵌合開始の位置に復帰する（図６）。スライダ５０は弾性力により嵌合開始の位置に勢いよく復帰して音が発生する所謂クリック感が得られるため、嵌合作業を行う作業者は復帰したことを容易に確認できる。
【００３４】
ボス９３は、第２の傾斜面５７の凹部５９に位置しており、前後方向への移動が規制される。したがって、コネクタ１０又は相手方コネクタ９０を離脱する方向（図中，上下方向）に力を加えても、スライダ５０はが前後方向へ容易に動かないように保持される。このことも、後述するように、ボスの乗り上げ防止にとって有効である。
【００３５】
図６の状態からレバー７０を反時計回りに回転させると、スライダ５０は図３に示す嵌合位置まで移動する。これにともなってボス９３は第２の経路５６を後方へ移動し、カム溝５２の終端に至る。そうすると、コネクタ１０の端子金具（図示せず）と相手端子金具９５とが接触し、電気的に導通することになる。レバー７０は、カバーハウジング４０上面の係止アーム４３を押圧してこれを乗り越えると、時計回りの回転が規制される。
【００３６】
ここで、スライダ５０が、異物、その他の外力により、図８（ａ）に示すように、嵌合開始の位置よりも前方側に留まることも想定される。この状態でレバー７０を反時計回りに回転させようとしても、ギア７４の最も前方側のロック面７６が、スライダ５０の段差（規制体）６７に噛み込んでロックしてしまうので、レバー７０を回転させることができない。
仮に、図８の状態からレバー７０を無理やり回転させたとしても、図９に示すように、レバー７０のギア７４が無い部分とスライダ５０のラック５１の歯が噛み合うので、レバー７０を回転させることができない。なお、ロック面は歯面を構成していない。
このように、コネクタ１０は、嵌合開始の位置が得られているか否かを二重に検知できる構造となっている。
【００３７】
［離脱手順］
保守・点検のために、嵌合がなされているコネクタ１０と相手コネクタ９０とを離脱させる手順を以下説明する。
嵌合位置（図３参照）からレバー７０を時計回りに回転させる。レバー７０が、係止アーム４３を通過する際には、係止アーム４３を下方に押してレバー７０との干渉を回避させる。
レバー７０を時計回りに回転させると、レバー７０のギア７４とスライダ５０のラック５１が順次噛み合うことにより、スライダ５０は後方へ移動する。レバー７０を嵌合開始の位置を越えて回転させると、ボス９３は第２の傾斜面５７の凹部５９を越えて第１の経路５３の上端において垂直面５５に突き当たる（図７）。スライダ５０は、トーションバネ６０により矢印Ｅの向きに弾性力が付与されているが、これに対向してレバー７０を当該位置（嵌合解除の位置）に維持させながら、相手コネクタ９０を下向きに引き抜く。第１の経路５３にはボス９３の移動を遮るものがないため、相手コネクタ９０をコネクタ１０から離脱して嵌合を解除できる。レバー７０が嵌合開始の位置を越える際には、カバーハウジング４０の係止突起４２をその内側に押してレバー７０の係止突起７５との干渉を回避させる。
【００３８】
以上のコネクタ１０によると、ボス９３が第１の傾斜面５４と摺動しながら第１の経路５３と第２の経路５６との境界部に至るまでに、スライダ５０は、トーションバネ６０により矢印Ｄの向きに負荷を受けている。したがって、ボス９３が第１の傾斜面５４の途中にある状態で相手コネクタ９０を押し込むのを止めたとしても、トーションバネ６０からの弾性力により、スライダ５０は前方（第１の向き）に移動する。このスライダ５０の移動に伴って、相手コネクタ９０は離脱の向き（下方）に押し出されることになるので、ボス９３が第１の傾斜面５４の途中に留まることがない。また、トーションバネ６０から付与されている弾性力により、スライダ５０は、後方（第１の向き）に強制的に移動されるので、ボス９３が第１の経路５３内に留まることがない。よって、コネクタ１０によると、ボス９３が第１の傾斜面５４の途中の位置に留まった状態でレバー７０を回転させることによるボスの乗り上げが防止される。
【００３９】
また、コネクタ１０によると、ボス９３が第２の傾斜面５７の凹部５９に至った後には、前後方向への移動が規制されることでスライダ５０が前方へ容易に動くことはない。このようにスライダ５０の保持が強くない場合には、ボス９３が第２の経路５６に移行した後でも、例えばハーネスを介してコネクタ１０又は相手コネクタ９０に強い力が加わると、ボスの乗り上げが生じることがある。これに対してコネクタ１０はスライダ５０を強く保持しているので、第２の経路５６にボス９３が移行した後にボスの乗り上げが生じるのを防止できる。
【００４０】
以上、本発明の実施形態について説明してきたが、本発明はこれに限定されずに種々の変更、改良を行うことができる。
例えば、スライダ５０は、一対設ける例について説明したが、少なくとも１枚設ければ機能する。
また、コンタクト１０はトーションバネ６０でスライダ５０に負荷を与えているが、本発明はこれに限定されず、スライダ５０自身にバネ機構を設けることができる。一例を図１０に示すが、スライダ１５０に、楕円状の第１貫通孔１５１を設け、その周囲にトラック状のバネ部１５２を残し、さらにバネ部１５２の周囲を取り囲むように第２貫通孔１５３を設けることで弾性体をスライダ１５０に設けることができる。
【００４１】
これ以外にも、本発明の主旨を逸脱しない限り、上記実施の形態で挙げた構成を取捨選択したり、他の構成に適宜変更することが可能である。
【符号の説明】
【００４２】
１０…コネクタ
２０…ハウジング本体
２１…嵌合部、２４…相手コネクタ受容キャビティ、２５…スライダ受容溝
２６…ラック露出切り欠き、２７…ボス進入孔、２８…バネ係止突起
４０…カバーハウジング
４１…支持軸、４２…係止突起、４３…係止アーム、４４…係止突起
５０，１５０…スライダ
５１…ラック、５２…カム溝
５３…第１の経路、５４…第１の傾斜面、５５…垂直面
５６…第２の経路、５７…第２の傾斜面、５８…第３の傾斜面、５９…凹部
６０…トーションバネ、６０ａ…巻回部、６０ｂ…第１の脚部、６０ｃ…第２の脚部
６１…バネ保持溝、６２…保持軸、６３…第１の保持壁、６４…第２の保持壁
６５…第３の保持壁、６６…案内溝、６７…段差
７０…レバー
７１…アーム、７２…連結部、７３…支持孔、７４…ギア、７５…係止突起
９０…相手コネクタ
９１…ハウジング、９２…嵌合部、９３…ボス、９４…キャビティ
【図１】
2011090904.tif 000003
【図２】
2011090904.tif 000004
【図３】
2011090904.tif 000005
【図４】
2011090904.tif 000006
【図５】
2011090904.tif 000007
【図６】
2011090904.tif 000008
【図７】
2011090904.tif 000009
【図８】
2011090904.tif 000010
【図９】
2011090904.tif 000011
【図１０】
2011090904.tif 000012
【図１１】
2011090904.tif 000013